(57)【要約】【課題】従来よりも優れた防火性能を有する開口部装置を提供すること。【解決手段】窓枠１０と、窓枠１０内に開閉可能に嵌め込まれた内障子２０および外障子３０と、を備える引違い窓１であって、内障子２０は、框体２５と、框体２５内に嵌め込まれたガラス２６と、を備え、ガラス２６の周縁部が挿入される戸先框２４のガラス溝部２４０内に形成される空気導入孔２４２，２４２の周辺には、加熱発泡材７１，７１が取り付けられていることを特徴とする引違い窓１である。【選択図】図４
2014198959.tif 000002
【特許請求の範囲】
【請求項１】
枠体と、該枠体内に開閉可能に嵌め込まれた障子と、を備える開口部装置であって、
前記障子は、框体と、該框体内に嵌め込まれたガラスと、を備え、
前記ガラスの周縁部が挿入される戸先框のガラス溝内に形成される孔の周辺には、加熱発泡材が取り付けられていることを特徴とする開口部装置。
【請求項２】
前記戸先框の戸先側に形成されて前記戸先框の中空部に連通する孔の周辺には、加熱発泡材が取り付けられていることを特徴とする請求項１に記載の開口部装置。
【請求項３】
前記戸先框の上下端部と該上下端部に隣接する上下枠との間を塞ぐ加熱発泡材が取り付けられていることを特徴とする請求項１又は２に記載の開口部装置。
【請求項４】
前記戸先框の屋内側および屋外側のうち少なくとも一方側の引手取付孔には、金属製引手が取り付けられていることを特徴とする請求項１乃至３いずれか１項に記載の開口部装置。
【請求項５】
前記戸先框の屋内側および屋外側のうち少なくとも一方側の引手取付孔には、樹脂製引手が取り付けられ、
前記一方側の引手取付孔の周辺には、加熱発泡材が取り付けられていることを特徴とする請求項４に記載の開口部装置。
【発明の詳細な説明】
【技術分野】
【０００１】
本発明は、開口部装置に関する。詳しくは、優れた防火性能を有する開口部装置に関する。
【背景技術】
【０００２】
従来、引違い窓では、屋外側で火災が発生した場合に、炎や可燃性ガス等が框の中空部を通って屋内に侵入し、発火するおそれがある。そのため例えば、縦框の上下端部に、耐火材としての加熱発泡材を有するコーナー部材を取り付けることで、縦框の中空部を塞ぐ構造が開示されている（例えば、特許文献１参照）。
【０００３】
ところが、引違い窓では、戸先框の屋内外の面に形成された取付孔に、開閉操作時の手掛けとしての引手が取り付けられる。そのため、引手が樹脂製の場合には、火災発生時に引手が溶融して屋内外の取付孔が露出する結果、これらの取付孔が貫通孔となって炎や可燃性ガス等が屋内に侵入する。そこで例えば、框体内に金属製の貫通防止部材を取り付けることで、上記貫通孔を塞ぐ構造が開示されている（例えば、特許文献２参照）。
【先行技術文献】
【特許文献】
【０００４】
【特許文献１】特開２０１２−１４４８６６号公報
【特許文献２】特開２０１１−２３１５９５号公報
【発明の概要】
【発明が解決しようとする課題】
【０００５】
しかしながら、戸先框には、上下框との組立て用ねじ孔や、中空部への空気導入孔が形成されている。そのため、これらの孔から炎や可燃性ガス等が屋内に侵入し、発火するおそれがあり、さらなる防火性能の向上が求められる。
【０００６】
本発明は上記に鑑みてなされたものであり、その目的は、従来よりも優れた防火性能を有する開口部装置を提供することにある。
【課題を解決するための手段】
【０００７】
上記目的を達成するため本発明は、枠体（例えば、後述の窓枠１０）と、該枠体内に開閉可能に嵌め込まれた障子（例えば、後述の内障子２０，外障子３０）と、を備える開口部装置（例えば、後述の引違い窓１）であって、前記障子は、框体（例えば、後述の框体２５，３５）と、該框体内に嵌め込まれたガラス（例えば、後述のガラス２６，３６）と、を備え、前記ガラスの周縁部が挿入される戸先框（例えば、後述の戸先框２４，３３）のガラス溝（例えば、後述のガラス溝部２４０，３３０）内に形成される孔（例えば、後述の空気導入孔２４２，２４２）の周辺には、加熱発泡材（例えば、後述の加熱発泡材７１，７１）が取り付けられていることを特徴とする開口部装置を提供する。
【０００８】
また、ガラスの周縁部が挿入される戸先框のガラス溝内に形成される孔の周辺に、加熱発泡材を取り付けることが好ましい。
これにより、火災発生時に、加熱発泡材が発泡して膨張することで、戸先框のガラス溝内の孔を塞ぐことができる。従って、本発明によれば、戸先框のガラス溝内の孔から戸先框の中空部への炎や可燃性ガス等の侵入を抑制できるため、優れた防火性能が得られる。
【０００９】
この場合、前記戸先框の戸先側に形成されて前記戸先框の中空部に連通する孔（例えば、後述のねじ孔２４３，２４５，空気導入孔２４４，戸車調整孔２４６）の周辺には、加熱発泡材（例えば、後述の加熱発泡材７２，７２）が取り付けられていることが好ましい。
【００１０】
さらに、戸先框の戸先側において、戸先框の中空部に連通して形成された孔の周辺に、加熱発泡材を取り付けることが好ましい。
これにより、火災発生時に、加熱発泡材が発泡して膨張することで、戸先框の戸先側の孔を塞ぐことができる。従って、本発明によれば、戸先框の戸先側の孔から戸先框の中空部への炎や可燃性ガス等の侵入を抑制できるため、優れた防火性能が得られる。
【００１１】
この場合、前記戸先框の上下端部と該上下端部に隣接する上下枠との間を塞ぐ加熱発泡材（例えば、後述の加熱発泡材７４，７４）が取り付けられていることが好ましい。
【００１２】
また、戸先框の上下端部と該上下端部に隣接する上下枠との間を塞ぐ加熱発泡材を取り付けることが好ましい。
これにより、火災発生時に、加熱発泡材が発泡して膨張することで、戸先框の上下端部を塞ぐことができる。従って、本発明によれば、戸先框の上下端部からの炎や可燃性ガス等の侵入を抑制できるため、優れた防火性能が得られる。
【００１３】
この場合、前記戸先框の屋内側および屋外側のうち少なくとも一方側の引手取付孔（例えば、後述の引手取付孔２４１ｆ，２４１ｇ）には、金属製引手が取り付けられていることが好ましい。
【００１４】
上述したように、火災発生時には、戸先框のガラス溝内の孔、戸先框の戸先側の孔および戸先框の上下端部の全てを、加熱発泡材で塞ぐことができる。そのため、屋内側および屋外側の一方側の引手取付孔に金属製引手を取り付ければ、その金属製引手により屋内への炎や可燃性ガス等の侵入を抑制できる。
そこで、この発明では、戸先框の屋内側および屋外側のうち少なくとも一方側に、金属製引手を取り付ける。これにより、金属製引手により屋内への炎や可燃性ガス等の侵入を抑制できるため、優れた防火性能が得られる。また、他方側の引手取付孔に樹脂製引手を取り付けることができ、この場合には、優れた防火性能を確保しつつ、非防火用の開口部装置との意匠性の統一を図ることができる。
【００１５】
この場合、前記戸先框の屋内側および屋外側のうち少なくとも一方側の引手取付孔には、樹脂製引手が取り付けられ、前記一方側の引手取付孔の周辺には、加熱発泡材（例えば、後述の加熱発泡材７３，７３）が取り付けられていることが好ましい。
【００１６】
この発明では、戸先框の屋内側および屋外側のうち少なくとも一方側の引手取付孔に、樹脂製引手を取り付ける。同時に、樹脂製引手が取り付けられた一方側の引手取付孔の周辺に、加熱発泡材を取り付ける。
これにより、火災発生時に樹脂製引手が溶融した場合であっても、加熱発泡材が発泡して膨張することで引手取付孔を塞ぐことができる。従って、この発明によれば、屋内外に貫通する貫通孔が戸先框に形成されるのを抑制できるため、優れた防火性能が得られる。また、屋内側および屋外側の両側又は一方側に樹脂製引手を取付けるため、優れた防火性能を確保しつつ、非防火用の開口部装置との意匠性の統一を図ることができる。
【発明の効果】
【００１７】
本発明によれば、従来よりも優れた防火性能を有する開口部装置を提供できる。
【図面の簡単な説明】
【００１８】
【図１】本発明の一実施形態に係る引違い窓を屋内側から見た正面図である。
【図２】上記実施形態に係る引違い窓の縦断面図である。
【図３】上記実施形態に係る引違い窓の横断面図である。
【図４】上記実施形態に係る引違い窓の戸先框の構成を示す図であり、（ａ）が戸先框の横断面図であり、（ｂ）が戸先框を屋内側から見た一部透過正面図であり、（ｃ）が戸先框をガラス側から見た側面図である。
【図５】上記実施形態に係る引違い窓の戸先框に上下振れ止め部材を取り付けた状態を示す図であり、（ａ）が戸先框の横断面図であり、（ｂ）が戸先框を屋内側から見た一部透過正面図である。
【発明を実施するための形態】
【００１９】
以下、本発明の実施形態について、図面を参照しながら詳しく説明する。なお、本明細書において、「見付方向」とは、建物の壁に形成された開口部に納められた引違い窓におけるガラス面である正面又は幅方向（即ち、左右方向）を意味し、「見込方向」とは、見付方向と直交方法（即ち、奥行き方向）を意味する。
【００２０】
図１は、本実施形態に係る引違い窓１を室内側から見た正面図である。より詳しくは、内障子２０および外障子３０を閉鎖したときの本実施形態に係る引違い窓１を、室内側から見た正面図である。
開口部装置としての引違い窓１は、例えばビル等の建物の壁に形成された開口部に納められる。図１に示すように、引違い窓１は、いずれも長尺状の上枠１００、下枠２００および左右の縦枠３００，４００により矩形に枠組みされた窓枠１０と、該窓枠１０内に開閉可能に嵌め込まれた内障子２０および外障子３０と、を備える。
【００２１】
窓枠１０は、例えばアルミで構成される。窓枠１０を構成する上記の各枠は、例えばアルミの押出し成形部材で構成される。
【００２２】
内障子２０は、いずれも長尺状の上框２１、下框２２および左右の縦框である召内框２３，戸先框２４により矩形に枠組みされた框体２５と、框体２５内に嵌め込まれて固定されたガラス２６と、を含んで構成される。
外障子３０は、いずれも長尺状の上框３１、下框３２および左右の縦框である召外框３４，戸先框３３により矩形に枠組みされた框体３５と、框体３５内に嵌め込まれて固定されたガラス３６と、を含んで構成される。
【００２３】
框体２５，３５は、例えばアルミで構成される。これらの框体を構成する上記の各框は、例えばアルミの押出し成形部材で構成される。
【００２４】
内障子２０と外障子３０の召合せには、戸締り用のクレセント錠４０が設けられている。これら内障子２０および外障子３０は、いずれも引き戸であり、これらを見付方向にスライドさせることで、開口部が閉鎖又は開放される。
【００２５】
図２は、本実施形態に係る引違い窓１の縦断面図である。図２に示すように、ガラス２６，３６は、それぞれ、屋外側の板ガラス２６１，３６１と、屋内側の板ガラス２６２，３６２と、これら２枚の板ガラスで挟持されたスペーサ２６３，３６３と、を備える複層ガラスであり、優れた断熱性を有する。
【００２６】
上枠１００は、開放側を下方に向けて配置された断面視略コ字状の上枠本体１１０と、上枠本体１１０内に設けられ該上枠本体１１０から下方に垂設された内障子用ガイドレール１１１および外障子用ガイドレール１１２を備える。
内障子用ガイドレール１１１には、内障子２０の上端部に取り付けられた上部振れ止め部材５１が係合する。同様に、外障子用ガイドレール１１２には、外障子３０の上端部に取り付けられた上部振れ止め部材５２が係合する。これにより、内障子２０および外障子３０が、窓枠１０内を見付方向にスムーズにスライド可能となっている。
【００２７】
下枠２００は、ホロー構造の下枠本体２１０と、下枠本体２１０の屋内側に立設された内障子用ガイドレール２１１と、下枠本体２１０の屋外側に立設された外障子用ガイドレール２１２と、を備える。
下枠本体２１０は、屋内側に形成された断面略矩形状のホロー構造の中空部２１０ａと、該中空部２１０ａの屋外側下端から屋外側に向かうに従い下方に傾斜して延びる傾斜部２１０ｂと、を備える。
【００２８】
内障子用ガイドレール２１１は、中空部２１０ａの屋外側上端に立設され、外障子用ガイドレール２１２は、傾斜部２１０ｂの屋外側に立設される。これらガイドレール２１１，２１２には、内障子２０と外障子３０それぞれの底部に取り付けられた戸車５３，５４が転動可能に係合する。これにより、内障子２０および外障子３０が窓枠１０内を見付方向にスライド可能となっている。
【００２９】
内障子２０の上框２１は、外障子３０の上框３１と同一の構成であり、内障子２０の下框２２は、外障子３０の下框３２と略同一の構成である。従って、互いに対応する構成については同一の規則性を持って符号を付し、以下では内障子２０の上框２１および下框２２についてのみ、詳しく説明する。
【００３０】
上框２１は、中空部を有するホロー構造の上框本体９２１ａと、該上框本体９２１ａの下面側に垂設された一対の上框垂設部９２１ｂ，９２１ｃと、上框本体９２１ａの上面側に立設された一対の上框立設部９２１ｄ，９２１ｅと、を備える。
【００３１】
一対の上框垂設部９２１ｂ，９２１ｃの先端部には、一対のガスケット２１ｃ，２１ｄが取り付けられる。ガラス２６は、ガスケット２１ｃ，２１ｄを介して、その上端縁部が一対の上框垂設部９２１ｂ，９２１ｃにより挟持される。
なお、屋内側の上框垂設部９２１ｂと上框本体９２１ａとの間には段差が形成されており、該段差には、屋内側に突出する端部キャップ９２１ｆが取り付けられている。
【００３２】
一対の上框立設部９２１ｄ，９２１ｅ間には、上部振れ止め部材５１が設けられ、この上部振れ止め部材５１に上述の内障子用ガイドレール１１１が係合する。一対の上框立設部９２１ｄ，９２１ｅの先端部には、内障子用ガイドレール１１１に当接する一対の気密材２１ａ，２１ｂが取り付けられる。
【００３３】
下框２２は、中空部を有するホロー構造の下框本体９２２ａと、下框本体９２２ａの下面側に垂設された一対の下框垂設部９２２ｂ，９２２ｃと、下框本体９２２ａの上面側に立設された一対の下框立設部９２２ｄ，９２２ｅと、を備える。
【００３４】
下框本体９２２ａの中空部内には、戸車５３が設けられ、この戸車５３が下框本体９２２ａの下面に形成された開口から下方に突出し、内障子用ガイドレール２１１に転動可能に取り付けられる。これにより、戸車５３がガイドレール２１１上を走行することで、内障子２０が窓枠１０内を見付方向にスライド可能となっている。
なお、屋内側の下框垂設部９２２ｂの先端部には、下枠本体２１０に当接する気密材２２ａが取り付けられている。
【００３５】
一対の下框立設部９２２ｄ，９２２ｅ間には、ガラス２６を支持するセッティングブロック２２ｄが設けられる。また、一対の下框立設部９２２ｄ，９２２ｅの先端部には、一対のガスケット２２ｂ，２２ｃが取り付けられる。セッティングブロック２２ｄにより支持されたガラス２６は、ガスケット２２ｂ，２２ｃを介して、その下端縁部が一対の下框立設部９２２ｄ，９２２ｅにより挟持される。
なお、屋内側の下框立設部９２２ｄと下框本体９２２ａとの間には段差が形成されており、該段差には、屋内側に突出する端部キャップ９２２ｆが取り付けられている。
【００３６】
図３は、本実施形態に係る引違い窓１の横断面図である。図３に示すように、縦枠４００は、内障子２０側の面に上下方向に延設された縦枠リブ４１１を備える。この縦枠リブ４１１は、内障子２０の戸先框２４の戸先側に取り付けられた中間振れ止め部材６２に当接する。これにより内障子２０のがたつきが抑制される。
【００３７】
縦枠４００の外障子３０側の上部および下部には（図３では下部のみ記載）、ストッパー６１が設けられる。このストッパー６１により、外障子３０の開放時に、外障子３０の召外框３４が縦枠４００に衝突するのが回避される。
【００３８】
内障子２０の戸先框２４は、中空部を有するホロー構造の戸先框本体２４１ａと、戸先框本体２４１ａの戸先側の屋外側端部および屋内側端部から縦枠４００側に延出する一対の戸先框延出部２４１ｂ，２４１ｃと、戸先框本体２４１ａからガラス３６側に延出する一対の戸先框延出部２４１ｄ，２４１ｅと、を備える。
なお、一対の戸先框延出部２４１ｄ，２４１ｅにより、ガラス２６の周縁部（右端縁部）が挿入されるガラス溝部２４０が形成される。
【００３９】
戸先框本体２４１ａの中空部には、屋内側の面および屋外側の面のそれぞれに、引手取付孔２４１ｆ，２４１ｇが形成されており、これら引手取付孔２４１ｆ，２４１ｇには、屋内側引手６３と屋外側引手６４が取り付けられる。例えば本実施形態では、屋内側引手６３および屋外側引手６４いずれも、樹脂製引手を用いることができる。
【００４０】
一対の戸先框延出部２４１ｂ，２４１ｃの間には、上述の縦枠リブ４１１に当接する中間振れ止め部材６２が嵌合して取り付けられる。また、屋内側の戸先框延出部２４１ｂの先端部には、縦枠４００に当接する気密材２４ｃが取り付けられる。
【００４１】
一対の戸先框延出部２４１ｄ，２４１ｅの先端部には、一対のガスケット２４ａ，２４ｂが取り付けられる。ガラス溝部２４０に挿入されたガラス２６は、ガスケット２４ａ，２４ｂを介して、その右端縁部が一対の戸先框延出部２４１ｄ，２４１ｅにより挟持される。
【００４２】
内障子２０の召内框２３は、見込方向に連なる２つの中空部を有するホロー構造の召内框本体２３１ａと、該召内框本体２３１ａの屋外側に形成されたガラス溝部２３０と、召内框本体２３１ａの屋内側の全面を覆うカバー部材２３２と、を備える。
ガラス溝部２３０内のガラス２６側の端部には、一対のガスケット２３ａ，２３ｂが取り付けられる。ガラス２６は、ガスケット２３ａ，２３ｂを介して、その左端縁部がガラス溝部２３０に挟持される。
【００４３】
召内框本体２３１ａの屋外側の面には、煙返し２３１ｆと、該煙返し２３１ｆに隣接し後述する召外框３４に当接する気密材２３ｃと、が設けられる。
召内框本体２３１ａの外障子３０側の見込面には、戸締まり用のクレセント錠４０が設けられる。クレセント錠４０は、召内框本体２３１ａの外障子３０側の見込面に取り付けられた基部４３と、操作用レバー４２と、操作用レバー４２に連動して回転し、上述のクレセント受け金具４５に係合するクレセント金具４１と、基部４３に設けられたサブロック４４と、を備える。なお、召内框本体２３１ａの屋外側の中空部のクレセント錠４０側の内壁面には、加熱発泡材２３ｄが取り付けられる。
【００４４】
外障子３０の召外框３４は、見込方向に連なる２つの中空部を有するホロー構造の召外框本体３４１ａと、召外框本体３４１ａの屋外側端部および屋内側端部からガラス３６側に延出する一対の召外框延出部３４１ｂ，３４１ｃと、を備える。これら一対の召外框延出部３４１ｂ，３４１ｃにより、ガラス３６の右端縁部が挿入されるガラス溝部３４０が形成される。
【００４５】
一対の召外框延出部３４１ｂ，３４１ｃの先端部には、一対のガスケット３４ａ，３４ｂが取り付けられる。ガラス溝部３４０内に挿入されたガラス３６は、ガスケット３４ａ，３４ｂを介して、その右端縁部が一対の召外框延出部３４１ｂ，３４１ｃにより挟持される。
屋内側の召外框延出部３４１ｃには、上述の召内框２３に設けられたクレセント錠４０のクレセント金具４１が係合するクレセント受け金具４５が設けられる。また、召外框本体３４１ａの屋内側には、煙返し３４ｃが設けられる。
【００４６】
外障子３０の戸先框３３の構成は、上述の内障子２０の戸先框２４の構成と同一である。従って、戸先框３３の構成については、戸先框２４の構成に対応させて同一の規則性を持って符号を付し、その説明を省略する。
同様に、縦枠３００の構成は、上述の縦枠４００の構成と同一である。従って、縦枠３００の構成については、縦枠４００の構成に対応させて同一の規則性を持って符号を付し、その説明を省略する。
【００４７】
なお、中間振れ止め部材６６は、上述の中間振れ止め部材６２と同一の構成であり、屋内側引手６７および屋外側引手６８は、上述の屋内側引手６３および屋外側引手６４と同一の構成である。
また、縦枠３００の内障子２０側の上部および下部に（図３では下部のみ記載）設けられたストッパー６５は、内障子２０の開放時に、上述のクレセント錠４０が縦枠３００に衝突するのが回避され、縦枠３００の損傷やクレセント錠４０の破損が回避される。
【００４８】
縦枠３００は、外障子３０側の面に上下方向に延設された縦枠リブ３１１を備える。この縦枠リブ３１１は、戸先框の戸先側に取り付けられた中間振れ止め部材６２に当接する。
【００４９】
次に、戸先框２４，３３に取り付けられた加熱発泡材について、詳しく説明する。ただし、これら戸先框２４，３３に取り付けられた加熱発泡材は同一の構成であるため、戸先框２４についてのみ、説明する。
図４は、本実施形態に係る引違い窓１の戸先框２４の構成を示す図である。（ａ）が戸先框２４の横断面図であり、（ｂ）が戸先框２４を屋内側から見た一部透過正面図であり、（ｃ）が戸先框２４をガラス２６側から見た側面図である。
【００５０】
図４（ａ）に示すように、ガラス溝部２４０の屋内側の底面には、加熱発泡材７１が取り付けられる。この加熱発泡材７１は、図４（ｂ）に示すように、戸先框２４の上下端部において、上下方向に所定長さ延びて設けられる。また、図４（ｃ）に示すように、これら加熱発泡材７１，７１は、戸先框２４の上下端部に取り付けられる安全キャップ８０，８０の収容部８１，８１に収容される。これにより、接着剤の劣化による加熱発泡材７１，７１の脱落が回避される。
【００５１】
ここで、加熱発泡材７１，７１が収容されている収容部８１，８１の周辺、具体的には見込方向の近傍には、ガラス溝部２４０の底面に形成されて、戸先框２４の中空部に連通する空気導入孔２４２，２４２が設けられている。火災発生時には、加熱発泡材７１，７１が発泡して膨張することで、これら空気導入孔２４２，２４２が塞がれるため、炎や可燃性ガス等の浸入が抑制される。
【００５２】
また、図４（ａ）に示すように、戸先框２４の戸先側では、屋外側の戸先框延出部２４１ｃの屋内側の面に、加熱発泡材７２が取り付けられる。この加熱発泡材７２は、図４（ｂ）に示すように、戸先框２４の上下端部において、上下方向に所定長さ延びて設けられる。
【００５３】
ここで、上端に取り付けられた加熱発泡材７２の周辺、具体的には戸先框本体２４１ａの縦枠４００側の面には、縦枠４００と上枠１００とをねじ止めするためのねじ孔２４３や空気導入孔２４４が形成されており、これらの孔は戸先框本体２４１ａの中空部に連通している。
また、下端に取り付けられた加熱発泡材７２の周辺、具体的には戸先框本体２４１ａの縦枠４００側の面には、縦枠４００と上枠１００とをねじ止めするためのねじ孔２４５や戸車調整孔２４６が形成されており、これらの孔は戸先框本体２４１ａの中空部に連通している。
火災発生時には、加熱発泡材７２，７２が発泡して膨張することで、これらのねじ孔２４３，２４５、空気導入孔２４４および戸車調整孔２４６が塞がれるため、炎や可燃性ガス等の浸入が抑制される。
【００５４】
また、図４（ａ）に示すように、戸先框本体２４１ａの中空部には、ガラス２６側の内壁面に加熱発泡材７３が取り付けられる。この加熱発泡材７３は、図４（ｂ）に示すように、屋内側引手６３および屋外側引手６４の周辺に隣接し、これら引手と略同じ長さ上下方向に延びて設けられる。
【００５５】
ここで、上述したように本実施形態では、屋内側引手６３および屋外側引手６４として、いずれも樹脂製引手を用いることができる。この場合には、火災発生時にいずれの引手も溶融し、引手取付孔２４１ｆ，２４１ｇが露出して貫通孔が形成される。この点、本実施形態では、火災発生時に加熱発泡材７３が発泡して膨張することで、引手取付孔２４１ｆ，２４１ｇが塞がれるため、炎や可燃性ガス等の浸入が抑制される。
【００５６】
図５は、本実施形態に係る引違い窓１の戸先框２４に上下振れ止め部材６９，６９を取り付けた状態を示す図である。（ａ）が戸先框２４の横断面図であり、（ｂ）が戸先框２４を屋内側から見た一部透過正面図である。ただし図５では、便宜上、上下振れ止め部材６９，６９を２点鎖線で示している。
図５（ａ）および（ｂ）に示すように、戸先框２４の上下端に取り付けられる上下振れ止め部材６９，６９の屋内側の内壁面には、略全面に加熱発泡材７４，７４が取り付けられる。火災発生時には、これら樹脂製の上下振れ止め部材６９，６９は溶融し、戸先框２４の上下端が開口してしまうところ、加熱発泡材７４，７４が発泡して膨張することで、戸先框２４の上下端の開口が塞がれるため、炎や可燃性ガス等の浸入が抑制される。
【００５７】
本実施形態によれば、以下の効果が奏される。
本実施形態では、ガラス２６の周縁部が挿入される戸先框２４のガラス溝部２４０内に形成された空気導入孔２４２，２４２の周辺に、加熱発泡材７１，７１を取り付けた。
これにより、火災発生時に、加熱発泡材７１，７１が発泡して膨張することで、戸先框１４のガラス溝部２４０内の空気導入孔２４２，２４２を塞ぐことができる。従って、本実施形態によれば、戸先框２４のガラス溝部２４０内の空気導入孔２４２，２４２から戸先框２４の中空部への炎や可燃性ガス等の侵入を抑制できるため、優れた防火性能が得られる。
【００５８】
また本実施形態では、戸先框２４の戸先側において、戸先框２４の中空部に連通して形成されたねじ孔２４３，２４５，空気導入孔２４４および戸車調整孔２４６の周辺に、加熱発泡材７２，７２を取り付けた。
これにより、火災発生時に、加熱発泡材７２，７２が発泡して膨張することで、戸先框２４の戸先側の孔を塞ぐことができる。従って、本実施形態によれば、戸先框２４の戸先側のねじ孔２４３，２４５，空気導入孔２４４および戸車調整孔２４６から戸先框２４の中空部への炎や可燃性ガス等の侵入を抑制できるため、優れた防火性能が得られる。
【００５９】
また本実施形態では、戸先框２４の上下端部と該上下端部に隣接する上下枠との間を塞ぐように、戸先框２４の上下端部の上下振れ止め部材６９，６９に加熱発泡材７４，７４を取り付けた。
これにより、火災発生時に、加熱発泡材７４，７４が発泡して膨張することで、戸先框２４の上下端部を塞ぐことができる。従って、本実施形態によれば、戸先框２４の上下端部からの炎や可燃性ガス等の侵入を抑制できるため、優れた防火性能が得られる。
【００６０】
また本実施形態では、戸先框２４の屋内側および屋外側の両側の引手取付孔２４１ｆ，２４１ｇに、樹脂製引手を取り付けた。同時に、樹脂製引手が取り付けられた両側の引手取付孔２４１ｆ，２４１ｇの周辺に、加熱発泡材７３，７３を取り付けた。
これにより、火災発生時に樹脂製引手が溶融した場合であっても、加熱発泡材７３，７３が発泡して膨張することで引手取付孔２４１ｆ，２４１ｇを塞ぐことができる。従って、本実施形態によれば、屋内外に貫通する貫通孔が戸先框２４に形成されるのを抑制できるため、優れた防火性能が得られる。また、屋内側および屋外側の両側に樹脂製引手を取付けるため、優れた防火性能を確保しつつ、非防火用の開口部装置との意匠性の統一を図ることができる。
【００６１】
なお、本発明は上記実施形態に限定されるものではなく、本発明の目的を達成できる範囲での変形、改良等は本発明に含まれる。
【００６２】
上記実施形態では、屋内側引手および屋外側引手として、いずれも樹脂製引手を用いたがこれに限定されない。屋内側引手および屋外側引手のうち少なくとも一方側の引手を樹脂製引手とすれば、同様の効果が得られる。
【００６３】
また、上述したように上記実施形態では、火災発生時には、戸先框２４のガラス溝部２４０内の空気導入孔２４２，２４２、戸先框２４の戸先側のねじ孔２４３，２４５，空気導入孔２４４および戸車調整孔２４６、並びに、戸先框２４の上下端部の全てを、加熱発泡材７１，７１，７２，７２，７４，７４で塞ぐことができる。そのため、屋内側および屋外側の一方側の引手取付孔に金属製引手を取り付ければ、その金属製引手により屋内への炎や可燃性ガス等の侵入を抑制できる。
そのため、少なくとも一方側の引手を金属製引手としてもよい。この場合には、引手取付孔の周辺に加熱発泡材７３，７３を取り付ける必要はない。これにより、金属製引手により屋内への炎や可燃性ガス等の侵入を抑制できるため、優れた防火性能が得られる。また、他方側の引手取付孔に樹脂製引手を取り付けることができ、この場合には、優れた防火性能を確保しつつ、非防火用の開口部装置との意匠性の統一を図ることができる。
【００６４】
上記実施形態では、上下振れ止め部材６９，６９に加熱発泡材７４，７４を取り付けたが、これに限定されない。戸先框２４の上下端部と該上下端部に隣接する上下枠との間を塞ぐことができればよく、例えば、戸先框２４の上下端部に隣接する上下枠１００，２００に加熱発泡材を取り付けてもよい。
【符号の説明】
【００６５】
１…引違い窓（開口部装置）
１０…窓枠（枠体）
２０…内障子（障子）
３０…外障子（障子）
２１，３１…上框
２２，３２…下框
２４，３３…戸先框
２５，３５…框体
２６，３６…ガラス
６３…屋内側引手
６４…屋外側引手
６９，６９…上下振れ止め部材
７１，７２，７３，７４…加熱発泡材
１００…上枠
２００…下枠
３００，４００…縦枠
２４０，３３０…ガラス溝部（ガラス溝）
２４１ｆ，２４１ｇ…引手取付孔
２４２，２４２，２４４…空気導入孔（孔）
２４３，２４５…ねじ孔（孔）
２４６…戸車調整孔（孔）
【図１】
2014198959.tif 000003
【図２】
2014198959.tif 000004
【図３】
2014198959.tif 000005
【図４】
2014198959.tif 000006
【図５】
2014198959.tif 000007